(57)【要約】【課題】人が座部に腰を掛けて、所望の楽な姿勢で休んだり、デスクワーク等を行い得る椅子を提供する。【解決手段】床面等の被載置面Ｇに載置されるベース台Ｚと、ベース台Ｚに立設され、上方へ延伸状の高さの相違する第１支持杆１と第２支持杆２とを、備える。高さが相違した第１支持杆１と第２支持杆２の内の高さの低い第１支持杆１の上端１ａに座部３を付設し、高さが高い第２支持杆２の上端２ａに腕Ａを置くための肘掛け部４を付設する。【選択図】図１
2020065872.tif 000002
【特許請求の範囲】
【請求項１】
床面等の被載置面（Ｇ）に載置されるベース台（Ｚ）と、上記ベース台（Ｚ）に立設され、上方へ延伸状の高さの相違する第１支持杆（１）と第２支持杆（２）とを、備え、
高さが相違した上記第１支持杆（１）と第２支持杆（２）の内の高さの低い第１支持杆（１）の上端（１ａ）に座部（３）を付設し、高さが高い第２支持杆（２）の上端（２ａ）に腕（Ａ）を置くための肘掛け部（４）を付設したことを特徴とする椅子。
【請求項２】
床面等の被載置面（Ｇ）に載置されるベース台（Ｚ）と、上記ベース台（Ｚ）に立設された第１支持杆（１）と、該第１支持杆（１）の途中部から分岐状として連設された第２支持杆（２）とを、備え、
上記第１支持杆（１）の上端（１ａ）よりも上記第２支持杆（２）の上端（２ａ）を上方位置となるように設定して、上記第１支持杆（１）の上端（１ａ）に座部（３）を付設し、上記第２支持杆（２）の上端（２ａ）に腕（Ａ）を置くための肘掛け部（４）を付設したことを特徴とする椅子。
【請求項３】
平面視において、上記座部（３）の外形が、第１弯曲凸状外縁部（５）と、第１弯曲凹状内縁部（６）と、上記第１弯曲凸状外縁部（５）と第１弯曲凹状内縁部（６）とをつなぐ２つの第１弯曲小凸側部（７）と、から成り、かつ、上記肘掛け部（４）の外形が、第２弯曲凸状外縁部（８）と、第２弯曲凹状内縁部（９）と、上記第２弯曲凸状外縁部（８）と第２弯曲凹状内縁部（９）とをつなぐ２つの第２弯曲小凸側部（10）と、から成り、さらに、平面視において、上記第１弯曲凹状内縁部（６）と第２弯曲凹状内縁部（９）とを、対面状に配設するとともに、上記座部（３）と肘掛け部（４）が重ならないように配設した請求項１又は２記載の椅子。
【請求項４】
上記ベース台（Ｚ）は、上記第１支持杆（１）が直接立設された固着板（Ｙ）を有し、さらに、上記ベース台（Ｚ）は、上記固着板（Ｙ）を、上記被載置面（Ｇ）に対して前後左右に揺動可能とする弾性部材（Ｐ）を具備している請求項１，２又は３記載の椅子。
【発明の詳細な説明】
【技術分野】
【０００１】
本発明は、椅子に関する。
【背景技術】
【０００２】
一般に、腕を休ませる（リラックスさせる）ための肘掛けを備える椅子が知られている（例えば、特許文献１参照）。
【先行技術文献】
【特許文献】
【０００３】
【特許文献１】特開２０１５−０８５１３２号公報
【発明の概要】
【発明が解決しようとする課題】
【０００４】
しかし、特許文献１記載の椅子は、椅子の左右側縁に肘掛けが配設されているので、腕を前方に向けて作業（例えばデスクワーク）する際等に、腕が疲れるという問題がある。そこで、本発明は、人が座部に腰を掛けて、図１・図２・図３に示すように、前後左右自由自在な姿勢で休んだり、デスクワークを行い得る椅子を提供することを目的とする。
【課題を解決するための手段】
【０００５】
そこで、本発明に係る椅子は、床面等の被載置面に載置されるベース台と、上記ベース台に立設され、上方へ延伸状の高さの相違する第１支持杆と第２支持杆とを、備え、高さが相違した上記第１支持杆と第２支持杆の内の高さの低い第１支持杆の上端に座部を付設し、高さが高い第２支持杆の上端に腕を置くための肘掛け部を付設したものである。
また、床面等の被載置面に載置されるベース台と、上記ベース台に立設された第１支持杆と、該第１支持杆の途中部から分岐状として連設された第２支持杆とを、備え、上記第１支持杆の上端よりも上記第２支持杆の上端を上方位置となるように設定して、上記第１支持杆の上端に座部を付設し、上記第２支持杆の上端に腕を置くための肘掛け部を付設したものである。
【０００６】
また、平面視において、上記座部の外形が、第１弯曲凸状外縁部と、第１弯曲凹状内縁部と、上記第１弯曲凸状外縁部と第１弯曲凹状内縁部とをつなぐ２つの第１弯曲小凸側部と、から成り、かつ、上記肘掛け部の外形が、第２弯曲凸状外縁部と、第２弯曲凹状内縁部と、上記第２弯曲凸状外縁部と第２弯曲凹状内縁部とをつなぐ２つの第２弯曲小凸側部と、から成り、さらに、平面視において、上記第１弯曲凹状内縁部と第２弯曲凹状内縁部とを、対面状に配設するとともに、上記座部と肘掛け部が重ならないように配設したものである。
また、上記ベース台は、上記第１支持杆が直接立設された固着板を有し、さらに、上記ベース台は、上記固着板を、上記被載置面に対して前後左右に揺動可能とする弾性部材を具備しているものである。
【発明の効果】
【０００７】
本発明の椅子によれば、人が座部に腰を掛けて、図１・図２・図３に示すように、所望の楽な姿勢で休んだり、デスクワーク等を行い得る。
【図面の簡単な説明】
【０００８】
【図１】本発明の第１の実施の形態の使用状態の一例を示す側面図である。
【図２】使用状態の他例を示す側面図である。
【図３】使用状態の別例を示す正面図である。
【図４】本発明の第１の実施の形態を示す正面図である。
【図５】背面図である。
【図６】左側面図である。
【図７】右側面図である。
【図８】平面図である。
【図９】底面図である。
【図１０】左側面図である。
【図１１】図10のＡ−Ａ断面図である。
【図１２】図10のＢ−Ｂ断面図である。
【図１３】第２の実施の形態を示す右側面図である。
【発明を実施するための形態】
【０００９】
以下、図示の実施の形態に基づいて本発明を詳説する。
図１〜図３は、本発明の第１の実施の形態の使用状態を示す。即ち、図１に示すように、腕Ａを（肘掛け部４に乗せて）休ませつつ、本Ｂを読む等のデスクワークをすることができる。また、図２に示すように、腕Ａを（肘掛け部４に）預けてリラックスすることもできる。さらに、図３に示すように、横座りして片手Ｈ（右手）を（肘掛け部４に）預けることもできる。あるいは、図示省略するが、肘掛け部４に頬杖をつく、又は、肘掛け部４を背もたれとして後ろ向きに座る等の楽な姿勢をとることもできる。なお、図３では脚が被載置面（床）Ｇから浮いている場合を示したが、座部３と肘掛け部４の床面高さを低く設定して、脚先が被載置面（床）Ｇに着くようにするも望ましい。
【００１０】
図４〜図12に示すように、床面等の被載置面Ｇ（図１〜図３参照）に載置されるベース台Ｚと、ベース台Ｚに立設され、上方へ延伸状の高さの相違する第１支持杆１と第２支持杆２とを、備える。第１支持杆１、及び、第２支持杆２は、パイプを用いるのが好ましい。高さが相違した第１支持杆１と第２支持杆２の内の高さの低い第１支持杆１の上端１ａに座部３が付設され、高さが高い第２支持杆２の上端２ａに腕Ａを置くための肘掛け部４が付設される。
【００１１】
図１〜図７及び図10に於て、ベース台Ｚは、第１支持杆１及び第２支持杆２が直接立設された固着板Ｙを有する。ベース台Ｚは、固着板Ｙを、被載置面Ｇに対して前後左右に揺動可能とする弾性部材Ｐを具備している。弾性部材Ｐは、例えば、図１，図２等に示すように、短円筒形状の弾性ゴムの上面・下面に平ワッシャ型金属片を焼付けた弾性部材Ｐが、円周上に等間隔で（固着板Ｙの下面側に）配設されている。あるいは、エアーを密封した大径円環状の弾性チューブや、中実の横断面形状を有する大径円環状弾性ゴム輪を、固着板Ｙの下面側に１個配置するも好ましい。
【００１２】
平面視（図８）において、座部３の外形が、第１弯曲凸状外縁部５と、第１弯曲凹状内縁部６と、第１弯曲凸状外縁部５と第１弯曲凹状内縁部６とをつなぐ２つの第１弯曲小凸側部７と、から成る。肘掛け部４の外形が、第２弯曲凸状外縁部８と、第２弯曲凹状内縁部９と、第２弯曲凸状外縁部８と第２弯曲凹状内縁部９とをつなぐ２つの第２弯曲小凸側部10と、から成る。平面視において、第１弯曲凹状内縁部６と第２弯曲凹状内縁部９とを、対面状に配設するとともに、座部３と肘掛け部４が重ならないように配設する。
【００１３】
図13は、第２の実施の形態を示す。床面等の被載置面Ｇ（図１〜図３参照）に載置されるベース台Ｚと、ベース台Ｚに立設された第１支持杆１と、第１支持杆１の途中部から分岐状として連設された第２支持杆２とを、備える。第１支持杆１の上端１ａよりも第２支持杆２の上端２ａを上方位置となるように設定する。第１支持杆１の上端１ａに座部３が付設され、第２支持杆２の上端２ａに腕Ａを置くための肘掛け部４が付設される。その他の構成は、第１の実施の形態と同様である。
【００１４】
なお、本発明は、設計変更可能であって、例えば、第１支持杆１、第２支持杆２の両方（又は一方）を、伸縮高さ調整自在な構造とするも、好ましい。使用者の身長や体形に応じて、快適に最も使い易い座部３，肘掛け部４の高さとすることが可能となる。また、弾性部材Ｐが、コイルバネ等から成るも良い。
【００１５】
以上のように、本発明は、床面等の被載置面Ｇに載置されるベース台Ｚと、上記ベース台Ｚに立設され、上方へ延伸状の高さの相違する第１支持杆１と第２支持杆２とを、備え、高さが相違した上記第１支持杆１と第２支持杆２の内の高さの低い第１支持杆１の上端１ａに座部３を付設し、高さが高い第２支持杆２の上端２ａに腕Ａを置くための肘掛け部４を付設したので、人が座部に腰を掛けて、図１・図２・図３に示すように、前後左右の好みの方向を選択して、自由な姿勢で休んだり、デスクワークを行い得る。また、図１に示すように前向きに座った状態から、図３に示すように横向きに座った状態へ座り直す場合等、前後左右方向への変更を容易かつ迅速に行うことができる。また、柔らかく揺れるので、リラックス感を高めることができる。また、シンプルな構造であって、設置スペースを小さくすることができる。
【００１６】
また、床面等の被載置面Ｇに載置されるベース台Ｚと、上記ベース台Ｚに立設された第１支持杆１と、該第１支持杆１の途中部から分岐状として連設された第２支持杆２とを、備え、上記第１支持杆１の上端１ａよりも上記第２支持杆２の上端２ａを上方位置となるように設定して、上記第１支持杆１の上端１ａに座部３を付設し、上記第２支持杆２の上端２ａに腕Ａを置くための肘掛け部４を付設したので、人が座部に腰を掛けて、図１・図２・図３に示すように、前後左右自由自在な姿勢で休んだり、デスクワークを行い得る。また、柔らかく揺れるので、リラックス感を高めることができる。また、シンプルな構造であって、設置スペースを小さくすることができる。
【００１７】
また、平面視において、上記座部３の外形が、第１弯曲凸状外縁部５と、第１弯曲凹状内縁部６と、上記第１弯曲凸状外縁部５と第１弯曲凹状内縁部６とをつなぐ２つの第１弯曲小凸側部７と、から成り、かつ、上記肘掛け部４の外形が、第２弯曲凸状外縁部８と、第２弯曲凹状内縁部９と、上記第２弯曲凸状外縁部８と第２弯曲凹状内縁部９とをつなぐ２つの第２弯曲小凸側部10と、から成り、さらに、平面視において、上記第１弯曲凹状内縁部６と第２弯曲凹状内縁部９とを、対面状に配設するとともに、上記座部３と肘掛け部４が重ならないように配設したので、座る際、足Ｌを座部３と肘掛け部４との間に容易に差入れることができて、安定姿勢で容易に座ることができる。
【００１８】
また、上記ベース台Ｚは、上記第１支持杆１が直接立設された固着板Ｙを有し、さらに、上記ベース台Ｚは、上記固着板Ｙを、上記被載置面Ｇに対して前後左右に揺動可能とする弾性部材Ｐを具備しているので、弾性部材Ｐの弾発力により、全体が左右前後方向にゆっくりと揺れて、リラックス効果も高く、座り心地が良い。
【符号の説明】
【００１９】
１  第１支持杆
１ａ  上端
２  第２支持杆
２ａ  上端
３  座部
４  肘掛け部
５  第１弯曲凸状外縁部
６  第１弯曲凹状内縁部
７  第１弯曲小凸側部
８  第２弯曲凸状外縁部
９  第２弯曲凹状内縁部
10  第２弯曲小凸側部
Ａ  腕
Ｇ  被載置面
Ｐ  弾性部材
Ｙ  固着板
Ｚ  ベース台
【図１】
2020065872.tif 000003
【図２】
2020065872.tif 000004
【図３】
2020065872.tif 000005
【図４】
2020065872.tif 000006
【図５】
2020065872.tif 000007
【図６】
2020065872.tif 000008
【図７】
2020065872.tif 000009
【図８】
2020065872.tif 000010
【図９】
2020065872.tif 000011
【図１０】
2020065872.tif 000012
【図１１】
2020065872.tif 000013
【図１２】
2020065872.tif 000014
【図１３】
2020065872.tif 000015